(57)【特許請求の範囲】
【請求項１】
複合したカラーチャネルを含む光を供給する、少なくとも１つの光源と、
該カラーチャネルの１つに対して用いられる、第１の反射型光モジュレータと、
該カラーチャネルの他の１つに対して用いられ、該第１の光モジュレータから分離されている、第２の反射型光モジュレータと、
前記少なくとも１つの光源と前記少なくとも１つの光モジュレータとの間において、該カラーチャネルの１つに含まれる波長に応じて、ビームスプリッタと該第１の光モジュレータとの間で該カラーチャネルの１つのために第１の光学経路を形成し、さらに、該カラーチャネルの他の１つに含まれる波長に応じて、該ビームスプリッタと該第２の光モジュレータとの間で該カラーチャネルの他の１つのために第２の光学経路を形成する、複合に記録された干渉パターンを含み、少なくとも２つの面を有する媒体である、ホログラフィックビームスプリッタと、
を備えるとともに、
該ホログラフィックビームスプリッタが、前記第１および第２の反射型光モジュレータによって反射された前記第１および第２の光学経路からの光を通すことを特徴とする投影システム。
【請求項２】
さらに加えて、投影用光学素子を備えるとともに、 前記ホログラフィックビームスプリッタが、前記第１および前記第２の光モジュレータと前記投影用光学素子との間の光学経路を形成して、投影スクリーン上で合成イメージを形成するように構成されることを特徴とする請求項１に記載の投影システム。
【請求項３】
前記少なくとも１つの光源が非変調光ビームを作るように適合され、該非変調光ビームが少なくとも３つのカラーチャネルからなる、ことを特徴とする請求項１に記載の投影システム。
【請求項４】
前記少なくとも１つの光源が非変調光ビームを作るように適合され、該非変調光ビームが少なくとも４つのカラーチャネルからなる、ことを特徴とする請求項１に記載の投影システム。
【請求項５】
それぞれが異なったカラーチャネルに対して用いられる非変調光ビームを供給する、少なくとも１つの光源と、
前記非変調光ビームの１つに対して用いられ、かつ、該非変調光ビームの１つを変調して第１の変調ビームを反射する、第１の反射型光モジュレータと、
前記非変調光ビームの他の１つに対して用いられ、かつ、該非変調光ビームの他の１つを変調して第２の変調ビームを反射し、該第１の光モジュレータから分離されている、第２の反射型光モジュレータと、
前記少なくとも１つの光源と前記少なくとも１つの光モジュレータとの間において、該非変調光ビームの１つに含まれる波長に応じて、ビームスプリッタと該第１の光モジュレータとの間で該非変調光ビームの１つのために第１の光学経路を形成し、さらに、該非変調光ビームの他の１つに含まれる波長に応じて、該ビームスプリッタと該第２の光モジュレータとの間で該非変調光ビームの他の１つのために第２の光学経路を形成する、複合に記録された干渉パターンを含み、少なくとも２つの面を有する媒体である、ホログラフィックビームスプリッタと、
を備えることを特徴とする投影システム。
【請求項６】
さらに加えて、投影用光学素子を備えるとともに、
前記ホログラフィックビームスプリッタが、前記変調ビームのそれぞれを前記投影用光学素子の方向に向け、投影スクリーン上で合成イメージを形成するように構成されていることを特徴とする請求項５に記載の投影システム。
【請求項７】
前記ホログラフィックビームスプリッタが、位相ベースのホログラフィックビームスプリッタからなることを特徴とする請求項５に記載の投影システム。
【請求項８】
前記非変調光ビームが、少なくとも３つのカラーチャネルからなることを特徴とする請求項５に記載の投影システム。
【請求項９】
前記非変調光ビームが、少なくとも４つのカラーチャネルからなることを特徴とする請求項５に記載の投影システム。
【請求項１０】
前記少なくとも１つの光源が、発光ダイオードからなることを特徴とする請求項５に記載の投影システム。
【請求項１１】
前記少なくとも１つの光源が、レーザから成ることを特徴とする請求項５に記載の投影システム。
【請求項１２】
前記第１および第２の光モジュレータの少なくとも１つが、液晶ディスプレイパネルから成ることを特徴とする請求項５に記載の投影システム。
【請求項１３】
それぞれのカラーチャネルに対して用いられるイメージを表示するように構成されたプロセサと、
前記カラーチャネルの１つに対して用いられる非変調光ビームを供給する、少なくとも１つの光源と、
前記非変調光ビームの１つに対して用いられ、かつ、該非変調光ビームの１つを変調するために前記プロセサからの前記イメージの表示を使用して第１の変調ビームを反射する、第１の反射型光モジュレータと、
前記非変調光ビームの他の１つに対して用いられ、かつ、該非変調光ビームの他の１つを変調するために前記プロセサからの前記イメージの表示を使用して第２の変調ビームを反射し、該第１の光モジュレータから分離されている、第２の反射型光モジュレータと、
前記少なくとも１つの光源と前記少なくとも１つの光モジュレータとの間において、該非変調光ビームの１つに含まれる波長に応じて、ビームスプリッタと該第１の光モジュレータとの間で該非変調光ビームの１つのために第１の光学経路を形成し、さらに、該非変調光ビームの他の１つに含まれる波長に応じて、該ビームスプリッタと該第２の光モジュレータとの間で該非変調光ビームの他の１つのために第２の光学経路を形成する、複合に記録された干渉パターンを含み、少なくとも２つの面を有する媒体である、ホログラフィックビームスプリッタと、
を備えるとともに、
該ホログラフィックビームスプリッタが、前記第１および第２の反射型光モジュレータによって反射された前記第１および第２の光学経路からの光を通すことを特徴とするコンピュータシステム。
【請求項１４】
さらに加えて、投影用光学素子を備えるとともに、
前記ホログラフィックビームスプリッタが、前記変調ビームのそれぞれを前記投影用光学素子の方向に向け、投影スクリーン上で合成イメージを形成するように構成されていることを特徴とする請求項１３に記載のコンピュータシステム。
【請求項１５】
前記ホログラフィックビームスプリッタが、位相ベースのホログラフィックビームスプリッタから成ることを特徴とする請求項１３に記載のコンピュータシステム。
【発明の詳細な説明】
【０００１】
【発明の属する技術分野】
本発明は、一般に、投影システムに関し、より詳細には、本発明はホログラフィーのビームスプリッタを含む投影システムに関する。
【０００２】
【従来の技術】
従来はないほど多い数の用途で、液晶光学技術及び半導体技術の組合わせから得られたディスプレイ装置が使用されている。例えば、これらのディスプレイ装置は、携帯電話、投影システム、家庭用娯楽システム及びパーソナルコンピュータ用のモニタで使用することができる。
【０００３】
そのようなディスプレイ装置の１つには、投影システムの中で使用されて変調ビームイメージを形成することができる、空間光モジュレータ（ＳＬＭ）がある。カラーの投影システムについては、システムは、投影システムのそれぞれの原色のチャネル（例えば、赤、緑、および青（ＲＧＢ）の原色のチャネル）に対して１つのＳＬＭを有している。１つの例として、投影された多色イメージを形成するには、１つのＳＬＭが（赤チャネルの）赤のビームを変調して赤の変調ビームイメージを形成し、１つのＳＬＭが（緑チャネルの）緑のビームを変調して緑の変調ビームイメージを形成し、また別のＳＬＭが（青チャネルの）青のビームを変調して青の変調ビームイメージを形成する。このように、赤、緑、および青の変調ビームイメージは投影スクリーン上で結合して、多色イメージを形成する。
【０００４】
従来の投影システムは、異なるカラーチャネルのビームを分離するための光学素子を含んでいる。例えば、図１を参照すると、従来の反射形投影システム１０は、白色光を発生する光源２８を備えている。白色光のビームをその原色の（異なるカラーチャネルの）赤、緑、および青のビームに分離するために、投影システム１０は、ダイクロイックビームスプリッタ１２及び１６を含んでいる。この方法では、このダイクロイックビームスプリッタ１２は、例えば、赤色ビームを白色光のビームから分離することができる。ミラー１３は、この赤色ビームを偏光ビームスプリッタ１９に反射する。偏光ビームスプリッタ１９は、今度は、赤色ビームを変調する反射形ＳＬＭ１４に赤色ビームを反射する。偏光ビームスプリッタ１９は、結果として生じた緑（赤）の変調された光ビームをＸキューブ形プリズム２４に向ける。このＸキューブ形プリズム２４は、変調ビームが投影用光学素子２６を通過するように向けて、多色イメージの１つのコンポーネント、すなわち、緑（赤）の変調されたビームイメージを投影スクリーン（図示せず）上に形成する。投影システム１０は、一般に、ダイクロイックビームスプリッタ１６並びに偏光ビームスプリッタ１７及び２２などの別の光学素子を含み、（元の白色ビームから）非変調の緑及び青のビームを、それぞれ、ＳＬＭ１８及びＳＬＭ２０の方向に向ける。偏光ビームスプリッタ１７及び２２並びにＸキューブ形プリズム２４は、結果として生じた緑及び青の変調イメージが投影用光学素子２６を通過するように方向付けて、多色イメージの残りのコンポーネントを形成する。
【０００５】
よりコンパクトな従来の投影システム３０の例が、図２に示されている。この投影システム３０は、プリズムブロック３２，３４及び３６から形成される折り重ね形光学素子のシステムを使用している。この方法では、光源４６が白色の光ビームを発生し、この白色の光ビームは、偏光ビームスプリッタ４４を経由して、プリズムブロック３２，３４及び３６に向けられる。ダイクロイック光学コーディング３５及び４１が、いくつかのプリズムブロックの面に用いられて、異なったカラーチャネルの分離を維持すると共に、白色の光ビームをその原色の赤、緑、および青のビームに分離する。このように、ダイクロイック光学コーディング３５及び４１が、赤、緑、および青の光ビームを、それぞれ、ＳＬＭ３８，ＳＬＭ４０及びＳＬＭ４２に向ける。いったん変調されると、変調された光ビームは、関連する非変調の入射光ビームが通った経路に近い光学経路を通って（逆方向に）進み、偏光ビームスプリッタ４４に戻る。この偏光ビームスプリッタ４４は、今度は、変調されたビームが投影用光学素子４８を通るように方向付けて、投影スクリーン（図示せず）上に多色イメージを形成する。
【０００６】
【発明が解決しようとする課題】
しかし残念なことに、ダイクロイックビームスプリッタは極めて高価であり、またダイクロイックビームスプリッタによるフィルタリングは、多量の光を消失してしまうことがある。さらに、ダイクロイックビームスプリッタは、システム１０，３０をキャリブレーションする間に扱いにくい、変調されたビームイメージのアライメントを作る多数の光学素子の１つであり、多数の反射面による著しく多くの光の損失を発生する。
【０００７】
このため、前述した１つ以上の問題を解決するような投影システムを開発する、絶えざる要求がある。
【０００８】
【課題を解決するための手段】
本発明の１つの実施形態では、投影システムは少なくとも１つの光源、少なくとも１つの光モジュレータ及びホログラフィックビームスプリッタを備えている。このホログラフィックビームスプリッタは、光源と光モジュレータとの間で光通信を行うように適合されている。
【０００９】
別の実施形態では、投影システムは少なくとも１つの光源、少なくとも１つの光モジュレータ及びホログラフィックビームスプリッタを備えている。光源は非変調の光ビームを供給するように適合され、それぞれの非変調光ビームは、異なったカラーチャネルに結合される。それぞれの光モジュレータは、非変調光ビームの別個の１つに結合され、結合された非変調の光ビームを変調して、変調された光ビームを発生するように適合されている。ホログラフィックビームスプリッタは、それぞれの非変調光ビームを関連する光モジュレータの方向に向けるように適合されている。
【００１０】
別の実施形態における方法には、光の参照波を供給するステップ及び干渉パターンを記録するステップが含まれる。それぞれの光の参照波は、異なったカラーチャネルに結合され、それぞれの干渉パターンは、光の参照波の異なった１つに結合される。干渉パターンを使用して光の物体波を発生させ、それぞれの物体波は、カラーチャネルの異なった１つに結合される。物体波は変調されて、変調された光波を発生する。
【００１１】
さらに別の実施形態では、ビームスプリッタが、異なったカラーチャネルに結合されている光ビームを受け取るように適合された、ホログラフィック媒体を備えている。この媒体は、結合されたカラーチャネルに基づいて異なった角度で配置されている光学経路に沿って、光ビームを方向付けるように適合されている。
【００１２】
【発明の実施の形態】
図３を参照する。本発明による投影システムの実施形態６０は、非変調の光ビームを発生する光源７６を備えている。それぞれの光ビームは、特定の原色カラーチャネルすなわち、特定の波長範囲を有している。実施例のように、非変調ビームの１つは、赤色に関連した波長を有する特定のコンポーネントを含んでおり、結果として、この非変調ビーム（以後、赤色非変調ビームと呼ぶ）は、赤のカラーチャネルを有している。同様に、別のビームの１つ（青色非変調ビームと呼ぶ）は青のカラーチャネルを有しており、別の光ビームの１つ（緑色非変調ビームと呼ぶ）は緑のカラーチャネルを有している。赤、緑、および青の非変調ビームは、それぞれの光学経路９１，９２及び９３を通って偏光ビームスプリッタ８０に進む。この偏光ビームスプリッタ８０は、今度は、非変調ビームの進路を変更し、ビームをそれぞれの光学経路９４，９５及び９６に沿って全体的に空間光モジュレータ（ＳＬＭ）７０，７２及び７４の方向に向ける。１つ以上のＳＬＭ７０，７２及び７４は、液晶ディスプレイ（ＬＣＤ）パネルを含み、光源７６は、実施例のように、１つ以上のレーザ及び／又は１つ以上の発光ダイオード（ＬＥＤ）を含んでいる。
【００１３】
従来の投影システムは、カラーチャネルとＳＬＭとの間の光通信をコントロールするために、光源７６とＳＬＭ７０，７２及び７４との間に配置されたいくつかの光学素子を備えている。しかしながら、従来の投影システムとは異なり、いくつかの実施形態では、投影システム６０は、カラーチャネルとＳＬＭ７０，７２及び７４との間の双方向通信をコントロールするホログラフィックビームスプリッタ６２、（いくつかの実施形態では）単一の光学素子、を備えている。
【００１４】
より詳細に言うと、ホログラフィックビームスプリッタ６２は、ビームのスペクトルコンポーネントの波長に基づいてそれぞれのビームを回折する、すなわち、ホログラフィックビームスプリッタ６２は、その結合されたカラーチャネルに基づいてそれぞれのビームを回折する。ホログラフィックビームスプリッタ６２が行う回折は、後述するように、それぞれのカラーチャネルのビームに対して、すなわち、非変調ビームが発散する別個の光学経路６４（青のカラーチャネル用）、６６（緑のカラーチャネル用）及び６８（赤のカラーチャネル用）に沿ってホログラフィックビームスプリッタ６２を出射するようにさせるために使用することができる特性に対して異なっている。
【００１５】
例えば、赤の非変調ビームは、他の非変調ビームと同様に、ホログラフィックビームスプリッタ６２の入射面７１の法線に角度的にほぼ整列している光学経路９４に沿って、面７１に入る。赤の非変調ビームがホログラフィックビームスプリッタ６２の反対側の面７３を出射する角度（θ３と呼ぶ）は、干渉パターン（ホログラムと呼ばれる）によってコントロールされる。この干渉パターンは赤のカラーチャネルに関係しており、ホログラフィックビームスプリッタ６２の中に記憶されている。この方法では、ホログラムが入射する赤の非変調ビームを回折して、ビームが面７３を角度θ３で出射するように（また光学経路６８を進行するように）させる。
【００１６】
同様に、ホログラフィックビームスプリッタ６２は、緑と青のカラーチャネルに関連したホログラムを記憶する。これらのホログラムは緑と青の非変調ビームを回折して、緑と青の非変調ビームが面７３をθ２及びθ１と呼ばれる角度で出射して、それぞれの光学経路６６及び６４を進行するようにさせる。このように、各ホログラムは特定のカラーチャネルに関連しており、また各ホログラムの波長選択性が高いので、ホログラムは他のカラーチャネルに関連したビームを回折することはない。
【００１７】
ＳＬＭ７０，７２及び７４の１つによって変調されると、結果として生じた変調ビームは、入射した非変調ビームと同様の経路に沿って、偏光ビームスプリッタ８０に戻る。より詳細には、赤、緑、および青の変調ビームは、赤、緑、および青の非変調ビームのそれぞれの光学経路６８，６６及び６４にほぼ従う（逆方向で）それぞれの光学経路６９，６７及び６５を進行する。例えば、ＳＬＭ７０は赤の非変調ビームを変調して、赤の変調ビームを発生する。この赤の変調ビームは、その帰路では光学経路６９を通ってホログラフィックビームスプリッタ６２に進行する。赤の変調ビームはホログラフィックビームスプリッタ６２の面７３に約θ３の角度（すなわち、赤の非変調ビーム面７３を出射した角度）で入射するので、この赤の変調ビームはホログラフィックビームスプリッタ６２の面７１を光学経路９７に沿って出射する。この光学経路９７は、赤の非変調ビームが進行した光学経路９４にほぼ従っている（逆方向で）。同様に、緑及び青の変調ビームは、それぞれの光学経路９８及び９９に沿って面７１を出射する。これらの光学経路９８及び９９は、緑及び青の非変調ビームの光学経路９５及び９６にほぼ従っている（逆方向で）。赤、緑、および青の変調ビームは、偏光ビームスプリッタ８０を通り投影用光学素子８２に向かって光学経路９６，９５及び９４（９７，９８及び９９）を進行する。この投影用光学素子８２は、赤、緑、および青の変調ビームのイメージを形成し、この変調ビームのイメージは投影スクリーン９０上で結合して、多色の合成イメージを形成する。
【００１８】
前述した投影システムの利点には、１つ以上の以下の事項が含まれる。すなわち、投影システムのコストを著しく減らすことができること、投影システム内の光学素子のアライメントを簡単にすることができること、ホログラフィックビームスプリッタを容易に大量生産することができること、ダイクロイックフィルタを必要としないこと、電力の浪費を防ぐことができること、カラーの忠実度を効果的にコントロールすることができること、光のスループットを増加させることができること、また投影システムをコンパクトにすることができることである。
【００１９】
図４を参照する。ホログラフィックビームスプリッタ６２は、少なくとも３つのホログラムを記憶するためのボリューム記録媒体６１を含んでいる。それぞれのホログラムは、異なったカラーチャネルのビームを回折するために使用される。一般に、記憶されたホログラムによって、再構成された物体波１０４（例えば、ホログラフィックビームスプリッタ６２の面７３を出射するときの赤の非変調ビーム）を参照波１０２（例えば、ホログラフィックビームスプリッタ６２の面７１に入射するときの赤の非変調ビームなど）を面７１上に投影することによって形成することができる。
【００２０】
各ホログラムの記録は他のホログラムの記録とは別に行われて、「ウォッシュ（ｗａｓｈｅｓ）」がホログラム内に記録されることを防止する。また、（特定のカラーチャネルについての）各ホログラムの記録は、次の方法で実行することができる。図５を参照すると、特定のカラーチャネルに関連した参照波１０２が、ホログラフィックビームスプリッタ６２の面７１上に投影されている。実施例のように、いくつかの実施形態では、参照波１０２は面７１の法線に角度的にほぼ整列しており、参照波１０２及び物体波１００は、実施例のように、特定のカラーチャネルに関連した波長を持つスペクトルコンポーネントの光を放射する発光ダイオード（ＬＥＤ）又はレーザによって形成することができる。例えば、青のカラーチャネル用のホログラムを形成するには、ＬＥＤ又はレーザは青のビームを面７１に対して投影して、参照波１０２を形成する。別のＬＥＤ又はレーザを使用し、別の青のビームを面７１に（図５に示すように）角度θで投影して、物体波１００を形成する。角度θは、光学経路６４、すなわち、青の変調ビーム（すなわち、再構成された物体波１０４（図４を参照のこと））が進行する光学経路の進路を決定する。赤及び緑のカラーチャネルに関連するホログラムは、同様の方法で記録することができる。
【００２１】
数学上は、特定のカラーチャネルについてのホログラムは、次の方程式によって説明することができる。
【数１】
0003606811.tif 000002
ここで、サフィックス「＊」は共役を示し、「Ｏ」は物体波１００を示し、また「Ｒ」は参照波１０２を示す。再構成の間は、ホログラムは参照波１０２で再度照明され、以下に数学的に説明する、再構成された物体波１０４を作るために、ホログラムが参照波１０２を回折するようにさせる。
【数２】
0003606811.tif 000003
ここで、「ＯＲ」は、再構成された物体波１０４を示す。Ｒ＝１の場合、方程式（２）の第３項は元の物体波１００であり、残りの光は他の後の３つの項の間で分割される。後の３つの項は振幅ホログラムに対して物体波１００の再構成を行うが、いくつかの実施形態では、ホログラフィックビームスプリッタ６２の中に記録されたホログラムは、位相のみのホログラム、すなわち、方程式（２）の後の３つの項を効果的に抑制し、結果として無駄になる光がわずかなホログラムである。ホログラフィックビームスプリッタ６２内で使用されるホログラフィックボリューム記録媒体は、薄くてもまた厚くても良く、いくつかの実施形態では、厚さが数ミリメータである。
【００２２】
図６を参照する。投影システム６０には、例えば、コンピュータシステムの一部又はスタンドアロン形プロジェクタの一部とすることができる以下の電気システム２００が含まれる。特に、電気システム２００は、ビデオエレクトロニクス規格協会（ＶＥＳＡ）のインターフェース２０２を備えて、ＶＥＳＡケーブル２０１からアナログ信号を受信する。このＶＥＳＡ規格は、インターネット上の「ｗｗｗ．ｖｅｓａ．ｏｒｇ／ｓｔａｎｄａｒｄｓ．ｈｔｍｌ」で見ることができる、「Ｃｏｍｐｕｔｅｒ Ｄｉｓｐｌａｙ Ｔｉｍｉｎｇ Ｓｐｅｃｉｆｉｃａｔｉｏｎ， ｖ．１， ｒｅｖ． ０．８」の中でさらに説明されている。これらのアナログ信号は、例えば、ディスプレイパネル７０，７２及び７４によって形成され、またコンピュータのグラフィックカードによって発生されるイメージを表示する。アナログ信号は、アナログ−ディジタル（Ａ／Ｄ）コンバータ２０４によってディジタル信号に変換され、これらのディジタル信号は、フレームバッファ２０６の中で記憶される。タイミング発生器２１２は、フレームバッファ２０６に接続され、イメージがスクリーン５９上に形成されるフレームレートを調整する。プロセサ２２０（例として、１つ以上の中央処理装置（ＣＰＵ）、マイクロコントローラ又はマイクロプロセサ）は、バス２０８を介してフレームバッファ２０６に接続される。
【００２３】
プロセサ２２０は、フレームバッファ２０６内に記憶されたデータを処理して、ＳＬＭ７０，７２及び７４上に形成されたイメージの表示を行う。例として、プロセサ２２０は、グラフィックスカードが使用する座標空間をＳＬＭ７０，７２及び７４が使用する座標空間に変換し、グラフィックスカードが使用するカラー空間をＳＬＭ７０，７２及び７４が使用するカラー空間に再配置し、またデータがＳＬＭ７０，７２及び７４のガンマ関数に一致するようにさせる。これらの動作の最終結果は、イメージの各ピクセルについての一組のＲＧＢ値である。この方法では、Ｒ値を使用してＳＬＭ７０のピクセルの輝度値を形成し、Ｇ値を使用してＳＬＭ７２のピクセルの輝度値を形成し、またＢ値を使用してＳＬＭ７４のピクセルの輝度値を形成する。
【００２４】
システム２００の他の特徴に関しては、システム２００はバス２０８及び、アドレス発生器２１４によって送られる信号に応答してＳＬＭ７０，７２及び７４上にイメージを形成するための駆動電圧に接続されているディスプレイパネルインターフェース２２２を備えている。（マッピングメモリ２１６の中に記憶されている）マップ２１５は、ＳＬＭ７０，７２及び７４のピクセルセルとＳＬＭ７０，７２及び７４によって表示される対応するイメージのピクセルとの間の望ましいマッピング変換を示す。マップ２１５は、今度は、アドレス発生器２１４によって使用されて、ＳＬＭ７０，７２及び７４のピクセルセルについてのピクセルアドレスを発生する。
【００２５】
他の実施形態は、以下の特許請求の範囲の中にある。例えば、いくつかの実施形態では、ＳＬＭをシリコングレーティングモジュレータ（グレーティング光バルブとも呼ばれる）に置き換えることができる。別の実施形態では、ホログラフィックビームスプリッタ６２は、付加的なカラーチャネル用のホログラムを記憶することができる。これらの付加的なカラーチャネルは、例えば、スクリーン９０とイメージセンサとの間で双方向通信を行うために使用することができる第４のカラーチャネルである。この方法では、第４のカラーチャネルを赤外のカラーチャネルとし、また光学経路９４，９５及び９６とは反対方向の光学経路に沿って、赤外光をスクリーン９０が受信できるように赤外フィルタを取り付ける。ホログラフィックビームスプリッタ６２は、赤外コントロール信号をディコーディングするために、赤外光を（投影システムの）イメージャの方向に向ける。このように、スクリーン９０の観察者はリモートコントロールを操作して、赤外コントロール信号をスクリーン９０に向けて送り、これにより、投影システムと双方向通信を行うことができる。
【００２６】
別の実施例として、いくつかの実施形態では、光源７６はより少ない又はより多い数の光源とすることができる。例えば、いくつかの実施形態では、アークランプなどの単一の光源をダイクロイックミラーと使用して、赤、緑、および青の非変調ビームのイメージを作ることができる。
【００２７】
さらに別の実施例として、いくつかの実施形態では、赤、緑、および青の非変調ビームを別々にかつ連続してＳＬＭ上に時間多重化方式で投影させるパルシング技術と一緒に、わずか１つのＳＬＭを使用することができる。この方法では、ＳＬＭが赤の非変調ビームを変調するタイムスライスの間に、ＳＬＭは赤のカラーチャネルについての変調を示す電気信号を受信し、ＳＬＭが緑の非変調ビームを変調するタイムスライスの間には、ＳＬＭは緑のカラーチャネルについての変調を示す電気信号を受信する、などである。
【００２８】
本発明を限られた数の実施形態に関して開示してきたが、この開示によって利益がある当業者は、そこからの多数の修正や変更を理解するであろう。特許請求の範囲は、本発明の真の思想及び範囲の中に入る全てのそのような修正や変更をカバーするものである。
【図面の簡単な説明】
【図１】従来技術の投影システムの概略図である。
【図２】従来技術の投影システムの概略図である。
【図３】本発明の実施形態による投影システムの概略図である。
【図４】ホログラムからの物体波を再構成する技術を説明する図である。
【図５】ホログラムを記録する技術を説明する図である。
【図６】本発明の実施形態による図３の投影システムの電気システムの概略図である。
【図１】
0003606811.tif 000004
【図２】
0003606811.tif 000005
【図３】
0003606811.tif 000006
【図４】
0003606811.tif 000007
【図５】
0003606811.tif 000008
【図６】
0003606811.tif 000009